(57)【要約】【課題】  モーアハウジング２３の刈り草排出口２２に底壁部材２９を上下揺動操作自在に設けた乗用型草刈り機において、底壁部材２９を揺動操作する際の接地による変形や破損を回避しやすくする。【解決手段】  底壁部材２９に連動連結した操作具３１をハウジング２３に取り付けてある。モーア２０が下降作業状態に下降されていると、操作具３１の操作部３１ａが運転部床１７の上面１７ａより低い配置高さに位置し、モーア２０が上昇非作業状態に上昇されると、操作具３１の操作部３１ａが運転部床１７の上面１７ａより高い配置高さに位置する。【選択図】        図３
2005198587.tif 000002
【特許請求の範囲】
【請求項１】
運転座席を有した自走車体にモーアを昇降操作自在に連結し、前記モーアのハウジングの刈り草排出口における底壁部材を上下揺動自在に設けた乗用型草刈り機であって、
前記底壁部材を人為的に揺動操作するように底壁部材に対して連動連結された操作具を前記ハウジングに取り付けるとともに、前記モーアが下降作業状態に下降された状態では、前記操作具の操作部が自走車体の運転部床の上面より低い配置高さに位置し、前記モーアが上昇非作業状態に上昇された状態では、前記操作具の操作部が前記運転部床の上面より高い配置高さに位置するように構成してある乗用型草刈り機。
【請求項２】
前記操作具が足踏みペダルである請求項１記載の乗用型草刈り機。
【発明の詳細な説明】
【技術分野】
【０００１】
本発明は、運転座席を有した自走車体にモーアを昇降操作自在に連結し、前記モーアのハウジングの刈り草排出口における底壁部材を上下揺動自在に設けた乗用型草刈り機に関する。
【背景技術】
【０００２】
上記乗用型草刈り機にあっては、例えば特許文献１に示されるように、底壁１３ｇ（底壁部材に相当）に対して連動連結された操作レバー２８（操作具に相当）をハウジング１３に設け、操作レバー２８によって底壁１３ｇを人為的に上下揺動操作することにより、排出案内経路Ｒ（刈り草排出口に相当）や底壁１３ｇに付着したり詰まった刈り草などを除去することができるように構成される。
【０００３】
【特許文献１】特開２００１−４５８２７号公報（〔００３３〕欄、図４，７）
【発明の開示】
【発明が解決しようとする課題】
【０００４】
この種の草刈り機において、底壁部材の揺動軸芯が地面上近くに位置したり、底部材の揺動軸芯から両端までの長さが長くなったりするなど底壁部材の構造や大きさなどによっては、モーアを下降作業状態に下降させたままにして底壁部材が揺動操作されると、底壁部材の遊端側が接地して底壁部材が変形や破損することがある。
【０００５】
本発明の目的は、上記したトラブルを発生しにくくしながら底壁部材を揺動操作でき、しかも、構造簡単に得られる乗用型芝刈り機を提供することにある。
【課題を解決するための手段】
【０００６】
本第１発明にあっては、運転座席を有した自走車体にモーアを昇降操作自在に連結し、前記モーアのハウジングの刈り草排出口における底壁部材を上下揺動自在に設けた乗用型草刈り機において、前記底壁部材を人為的に揺動操作するように底壁部材に対して連動連結された操作具を前記ハウジングに取り付けるとともに、前記モーアが下降作業状態に下降された状態では、前記操作具の操作部が自走車体の運転部床の上面より低い配置高さに位置し、前記モーアが上昇非作業状態に上昇された状態では、前記操作具の操作部が前記運転部床の上面より高い配置高さに位置するように構成してある。
【０００７】
すなわち、操作具を操作すれば、この操作力のために底壁部材が上下揺動する。モーアを下降作業状態に下降させていると、操作具の操作部が運転部床の上面より低い配置高さに位置して操作具を操作しようとしても操作が行いにくく、モーアを上昇非作業状態に上昇させると、操作具の操作部が運転部床の上面より高い配置高さに位置して操作具の操作が行い易くなるものである。これにより、底壁部材を揺動操作させるに当たり、モーアを上昇非作業状態に上昇させて行なわれるようになって、モーアを下降作業状態に下降させたままにして行なわれることを回避しやすくなる。
【０００８】
従って、本第１発明によれば、刈り草排出口や底壁部材に付着したり詰まったりした刈り草などを底壁部材の揺動操作によって除去することができるものでありながら、その除去作業を行なうに当たり、モーアを上昇非作業状態に上昇させて行なわれ、底壁部材が大型であるなどの場合でも底壁部材が接地して変形や破損するなどのトラブルを回避されやすくなる。しかも、操作具の操作部がモーアの昇降によって運転部床の上面より高い配置高さや低い配置高さに位置するように設定するだけの簡単な構造で済み、安価に得ることができる。
【０００９】
本第２発明にあっては、本第１発明の構成において、前記操作具が足踏みペダルである。
【００１０】
すなわち、操作具が足踏みペダルであるから、モーアを下降作業状態に下降させたままでは操作具の操作がより一層行いにくくなる。これにより、モーアを下降作業状態に下降させたままにして底壁部材を揺動操作されることをより一層回避しやすくなる。
【００１１】
また、操作具に足を乗せてストッパー作用させながらモーアを上昇操作し、モーアの上昇力を操作力として操作具を操作するという操作方法を採用して底壁部材を揺動操作することができる。
【００１２】
従って、本第２発明によれば、モーアを下降作業状態に下降させたままにして底壁部材を揺動操作されて底壁部材が変形や破損することを操作具の形態からより一層回避しやすくなる。また、モーアの上昇力を操作力に利用して底壁部材を揺動操作して刈り草などの除去を楽に行なうことができる。
【発明を実施するための最良の形態】
【００１３】
以下、本発明の実施例を図面に基づいて説明する。
図１に示すように、左右一対の前車輪１、及び、左右一対の後車輪２が原動部６のエンジン６ａからの駆動力によって駆動されて自走するように構成し、かつ、運転座席３、ステアリングハンドル４などが装備された搭乗型の運転部５を備えた自走車体の車体フレーム７の前後輪間に、リンク機構８を介してモーア２０を連結するとともに、前記エンジン６ａの駆動力を回転軸９、伝動ミッション１０、回転軸１１を介してモーア２０に伝達するように構成し、前記車体フレーム７の後部に集草容器１５を連結するとともに、モーア２０の図３の如き刈り草排出口２２を左右後輪２，２の間を通る搬送ダクト１６を介して集草容器１５に連通させるように構成して、乗用型草刈り機を構成してある。
【００１４】
この乗用型草刈り機は、芝刈りや草刈り作業を行なうものであり、前記リンク機構８のリンク８ａにリフトシリンダ（図示せず）を連動させてあり、このリフトシリンダを操作することにより、リンク機構８がリフトシリンダによって車体フレーム７に対して上下に揺動操作され、モーア２０をこれのハウジング２３に装備されているゲージ輪２４が接地した下降作業状態と、このゲージ輪２４が地面上から高く浮上した上昇非作業状態とに昇降操作するようになっている。
モーア２０を下降作業状態に下降させて車体を走行させると、モーア２０がハウジング２３の内部の車体横方向での複数箇所で車体上下向きの軸芯まわりで回動する図２の如きブレード２５によって芝や草を切断し、刈り芝や刈り草をブレード２５の回動によって発生する搬送風によって刈り草排出口２２から搬送ダクト１６に排出し、この搬送ダクト１６を通して集草容器１５に送り込んでいく。
【００１５】
図２，３に示すように、モーア２０の前記刈り草排出口２２は、ハウジング２３の天板の上面側に連設した案内天板２６及び左右一対の案内側板２７を備えて成る案内ダクト本体と、前記左右一対の案内側板２７に連結した底壁部材２９とによって形成してあり、ブレード２５からの刈り草を案内ダクト本体及び底壁部材２９によって移送案内してハウジング２３から搬送ダクト１６に送り込むようになっている。
【００１６】
底壁部材２９を前記左右一対の案内側板２７に連結している取り付け軸３０を、左右一対の案内側板２７を回動自在に挿通し、底壁部材２９に対して一体回動自在に連結した回転軸に構成し、取り付け軸３０の一端側に連結している揺動アーム４１を備えた連動機構４０によって前記底壁部材２９に対して連動連結させた足踏みペダル３１を、ハウジング２３の横一端側に設けてある。
【００１７】
足踏みペダル３１は、この足踏みペダル３１のアーム部を構成している素材の一端側で成るペダル支軸３２、及び、このペダル支軸３２が相対回動自在に挿通するように構成してハウジング２３の後部に固定されたブラケット３３を介してハウジング２３に取り付けられており、ペダル支軸３２の車体横向きの軸芯まわりでハウジング２３に対して上下揺動するようになっている。
【００１８】
図２などに示すように、前記連動機構４０は、底壁部材２９の前記取り付け軸３０の一端側に一体回動自在に連結している前記底壁部材側の揺動アーム４１、この揺動アーム４１に一端側が相対回動自在に連結している連動ロッド４２、この連動ロッド４２の他端側が相対回動自在に連結しているとともに前記ペダル支軸３２の一端側に一体回動自在に連結しているペダル側の揺動アーム４３を備えて構成してある。これにより、連動機構４０は、足踏みペダル３１が踏み込み操作されると、これに伴うペダル支軸３２の回動力が底壁部材側の揺動アーム４１に伝達されて底壁部材２９の取り付け軸３０が回動して底壁部材２９が一方に揺動するように、足踏みペダル３１の踏み込み操作が解除されると、底壁部材２９の前端側が図３に示すストッパー３４に当接するまで底壁部材２９が自重とリターンばね３５のために復元揺動し、これとともに、リターンばね３５などのために足踏みペダル３１が上昇揺動するように足踏みペダル３１と底壁部材２９とを連動連結している。
【００１９】
足踏みペダル３１は、モーア２０が昇降操作されると、自走車体の運転部床１７の車体右横外側をモーア２０と共に自走車体に対して昇降するように配置してハウジング２３に取り付けてあり、かつ、図３に示す如く構成してある。すなわち、図３（イ）に示すように、モーア２０が下降作業状態に下降され、かつ、底壁部材２９が前記ストッパー３４によって受け止め支持されて後端側ほど車体上方側に位置する後上がり状態に傾斜した通常の取り付け姿勢にある状態では、足踏みペダル３１の操作部３１ａが前記運転部床１７の上面１７ａよりも低い配置高さに位置して運転部５から踏み込み操作しにくくなるように、図３（ロ）に示すように、モーア２０が上昇非作業状態に上昇され、かつ、底壁部材２９が前記通常の取り付け姿勢にある状態では、足踏みペダル３１の操作部３１ａが前記運転部床１７の上面１７ａよりも高い配置高さに位置して運転部５から容易に踏み込み操作することができるように構成してある。
【００２０】
つまり、芝刈りや草刈りを行なう通常時は、底壁部材２９は、自重とリターンばね３５のためにストッパー３４に当接して受け止め支持された通常の取り付け姿勢になっており、ブレード２５からの刈り芝や刈り草をハウジング２３の刈り草排出口２２から搬送ダクト１６に移送されるように案内作用する。
【００２１】
ハウジング２３の刈り草排出口２２や底壁部材２９に刈り芝や刈り草の詰まりや付着が発生した場合、足踏みペダル３１を踏み込み操作することにより、底壁部材２９を取り付け軸３０の軸芯を揺動軸芯にして上下揺動するように人為的に揺動操作し、底壁部材２９によって詰まりや付着状態にある刈り芝や刈り草を刈り草排出口２２から後方に掻き出したり底壁部材２９から落下させることができる。この除去作業を行なう場合、モーア２０を下降作業状態に下降させてあって底壁部材２９が上下揺動すると接地しやすい状態にあれば、足踏みペダル３１の操作部３１ａが運転部床上面１７ａより下方に位置していて足踏みペダル３１の操作が行いにくいが、モーア２０を上昇非作業状態に上昇させて底壁部材２９が上下揺動しても接地しない状態にすれば、足踏みペダル３１の操作部３１ａが運転部床上面１７ａより上方に突出し、足踏みペダル３１を容易に操作して除去作業が行い易くなるのである。また、足踏みペダル３１によって操作するものであるから、運転座席３に着座したままでも、また、ペダル３１に土などが付いていても手を汚さないで底壁部材２９を操作することができる。
【００２２】
〔別実施形態〕
上記実施形態の如く底壁部材２９を足踏みペダル３１によって揺動操作するように構成して実施する場合の他、操作レバーによって揺動操作するように構成して実施する場合にも、本発明の構成を採用すれば、本発の目的を達成できる。従って、足踏みペダル３１、操作レバーなどを総称して操作具３１と呼称する。
【図面の簡単な説明】
【００２３】
【図１】乗用型草刈り機全体の側面図
【図２】モーアの平面図
【図３】(イ)は、モーアが下降作業状態にある状態での足踏みペダルの側面図、(ロ)は、モーアが上昇非作業状態にある状態での足踏みペダルの側面図
【符号の説明】
【００２４】
３          運転座席
１７        運転部床
１７ａ      運転部床の上面
２０        モーア
２２        刈り草排出口
２３        ハウジング
２９        底壁部材
３１        操作具
３１ａ      操作具の操作部
【図１】
2005198587.tif 000003
【図２】
2005198587.tif 000004
【図３】
2005198587.tif 000005